(57)【特許請求の範囲】
【請求項１】
アンテナから入力される放送信号を受信するチューナーと、前記チューナーで受信した放送信号における隣接映像音声を排除する表面弾性波フィルターと、前記表面弾性波フィルターから出力された映像音声信号の中間周波数帯域を復調するとともに自動利得制御を行う映像音声中間周波数復調部とを備えた受信装置であって、前記映像音声中間周波数復調部から出力される映像信号の高周波部分を減衰させる整合抵抗と、前記映像音声中間周波数復調部からの制御により前記整合抵抗の抵抗値を切り換え減衰量を可変する切り換え回路とを備え、前記切り換え回路は内部抵抗を有し、前記映像音声中間周波数復調部におけるＡＧＣ電圧値が所定値以下の場合は前記内部抵抗と前記整合抵抗との合成抵抗により映像信号の高周波部分を減衰させ、前記映像音声中間周波数復調部におけるＡＧＣ電圧値が所定値以上の場合は前記整合抵抗のみで映像信号の高周波部分を減衰させることを特徴とする受信装置。
【請求項２】
アンテナから入力される放送信号を受信し、受信した放送信号における隣接映像音声を排除し、その映像音声信号の中間周波数帯域を復調し、復調した映像信号の高周波部分を減衰させ、かつその減衰量を抵抗値を切り換えることにより可変する構成にすることにより、弱電界時の映像振幅特性と映像Ｓ／Ｎ値を改善することを特徴とする請求項１記載の受信装置。
【発明の詳細な説明】
【０００１】
【発明の属する技術分野】
本発明は、テレビジョン受像機、ビデオテープレコーダー等を含む地上波受信フロントエンドに使用して有効な受信装置に関するものである。
【０００２】
【従来の技術】
近年、受信装置はチューナー部、映像音声復調部から構成されかつ、一体化構造で構成されている。
【０００３】
以下に従来の受信装置について説明する。
従来、受信装置は例えば米国特許４６８９８２５号公報に記載されたものが知られている。従来の受信装置を図３に示す。図３は従来の受信装置の地上波チューナー部、表面弾性波フィルター（以下、ＳＡＷフィルターと記す）、映像音声中間周波数復調部、音声信号トラップ部を含むブロック図を示すものである。
【０００４】
図３において、１は地上波のアンテナで、放送電波を受電しチューナー３へテレビジョン信号を伝送するものである。２はチューナー３の入力端子で、アンテナ１で受電されたテレビジョン信号に対して整合性の配慮が対応出来ているものである。３はチューナーで、アンテナ１より供給されたテレビジョン信号を所望のチャンネル信号に選択し、妨害排除を行い局部発信周波数と所望チャンネル周波数とを内部の混合器で混合し、所望の中間周波数信号を取り出すものである。４はチューナー３のＲＦ−ＡＧＣ端子で、映像音声中間周波数復調部３０に入力された利得のレベルにより、映像音声中間周波数復調部３０が制御する手段として、ＩＣ内のＲＦ−ＡＧＣ回路により電圧に変換されて出力されるもので、その電圧によりチューナー３の利得を制御するものである。
【０００５】
５はＲＦ−ＡＧＣリップルフィルター及び過渡応答を決定するコンデンサーであり、また、ＲＦ−ＡＧＣ電圧はＩＣに入力される信号のレベルにより左右されるもので、その入力信号は映像情報を含む信号であるため、映像信号レベルによりＲＦ−ＡＧＣ出力電圧が影響を受けるために電解コンデンサーを導入し平滑させるものである。また、ＲＦ−ＡＧＣの応答が遅すぎると利得のコントロールに大きく影響するため電圧の立ち上がり、立ち下がり特性を考慮した定数設定が要求されるものである。６は表面弾性波フィルター（以降、ＳＡＷフィルターと略す）の入力端子であり、チューナー３の出力インピーダンスとＳＡＷフィルター７とのインピーダンス整合のとれた信号が入力されるものである。７はＳＡＷフィルターで受信された所望チャンネルの帯域特性及び位相特性を決定するものである。
【０００６】
８はＲＦ−ＡＧＣ電圧調整用ボリュームである。チューナー３でのＲＦ−ＡＭＰでの利得制御範囲には限界があるため、入力レベルが弱電界時には、映像音声中間周波数復調部３０内のＩＦ−ＡＭＰにて利得コントロールを行い検波後の映像出力信号レベルが一定になるように動作させており、そのＲＦ−ＡＭＰでの動作入力レベルを任意に設定する端子である。９、１０はＳＡＷフィルター７から出力された映像中間周波数信号を映像音声中間周波数信号復調部３０に入力する入力端子で、平衡入力されているものである。１１は映像音声中間周波数復調部３０内のＲＦ−ＡＧＣ回路であり、入力された中間周波数信号を映像検波した後のシンクチップレベルのＤＣ電圧の変化により、電圧制御を行うもので、ピークＡＧＣにより電圧を出力するものである。
【０００７】
１２はイコライザー補正回路であり、入力の映像信号に帰還をかけて高域周波数振幅特性を補正する回路である。１３は検波器であり、中間周波数信号と任意に発信させた信号とを同一位相により乗算し、映像検波を行う回路である。１４は電圧制御発振器（以下、ＶＣＯと記す）で、検波器１３で検波に必要な発信周波数を電圧によって制御し、ループを組んで一定の周波数にするものである。１５はＶＣＯ同調回路で、ＶＣＯ１４で発振コントロールする発信周波数をＬＣにて同調するものである。１６は検波器１３からの映像信号のノイズ除去のために高周波部分を減衰する整合抵抗であり、音声信号用トラップ部１８の減衰量および周波数振幅特性を決定するものである。１８は整合抵抗１６を介して入力される映像信号に含まれるわずかな音声信号を減衰する音声信号用トラップ部で、５．５［ＭＨｚ］、６．０［ＭＨｚ］、６．５［ＭＨｚ］の音声信号を所望の値に減衰させるもので、一般的にはセラミックトラップ等が用いられる。
【０００８】
１９はイコライザー補正回路１２を通過した後の映像信号出力端子である。２２は映像音声中間周波数復調部３０の音声中間周波数信号の入力端子で、ＳＡＷフィルター７により選択された音声中間周波数帯域内の音声中間周波数搬送波が入力されるものである。２３はＡＭ／ＦＭ検波部で、ＰＡＬ時はＦＭ検波、ＳＥＣＡＭ時はＡＭ検波を行い、音声信号を取り出す音声信号処理回路であり、詳細については省略している。２４は音声信号処理回路２３でＰＬＬ検波された信号を取り出す音声信号出力端子である。３０は映像音声中間周波数復調部、３７は電源電圧入力端子であり、例えば５Ｖが使用されるものである。
【０００９】
以上のように構成された従来の受信装置について、以下その動作について説明する。
【００１０】
アンテナ１から入力された放送信号をチューナー３で受信する。所望のチャンネル周波数を選択し、妨害排除を行い局部発信周波数と所望のチャンネル周波数とを混合し、中間周波数信号を取り出す。チューナー３で受信した放送信号はＳＡＷフィルター７に入力され、隣接映像音声を排除する。ＳＡＷフィルター７からは映像・音声の中間周波数信号が出力され、映像中間周波数信号は入力端子９及び１０から映像音声中間周波数復調部３０に入力され、音声信号中間周波数信号は入力端子２２から入力される。
【００１１】
映像中間周波数信号はＩＦ−ＡＭＰ５０で利得コントロールされ、検波器１３に入力される。検波器１３では、ＩＦ−ＡＭＰ５０からの映像中間周波数信号と、ＶＣＯ１４で発振した信号とを同一位相により乗算して映像検波を行なう。検波器１３の出力信号は整合抵抗１６に入力され、信号中のノイズ除去のために高周波部分を減衰させる。整合抵抗１６の出力信号は音声信号用トラップ部１８に入力され、映像中間周波数信号にわずかに含まれる音声信号を、所定の周波数を指定して減衰する。音声信号用トラップ部１８の出力信号はイコライザ補正回路１２に入力され、整合抵抗１６で減衰した映像信号の高周波部分を補正する。そして、イコライザ補正回路１２の出力信号は映像信号出力端子１９から出力される
一方、ＳＡＷフィルター７から出力された音声中間周波数信号は、ＡＭ／ＦＭ検波部２３に入力され、ＰＡＬ時にはＦＭ検波し、ＳＥＣＡＭ時にはＡＭ検波を行なう。ＡＭ／ＦＭ検波部２３から出力された音声中間周波数信号は、音声信号出力端子２４から出力される。
【００１２】
【発明が解決しようとする課題】
しかしながら上記の従来の構成では、電界の弱い時に映像振幅特性と映像Ｓ／Ｎ値を改善する手段を構成していないので、弱電界時の映像振幅特性と映像Ｓ／Ｎ値が改善されないという問題点を有していた。
【００１３】
本発明は上記従来の問題点を解決するもので、映像音声中間周波数復調部において、ＲＦ−ＡＧＣ回路からのＡＧＣ電圧により、ある適当な電界において映像周波数振幅特性を切り換えて、弱電界時の映像振幅特性と映像Ｓ／Ｎ値を改善する受信装置を提供することを目的とする。
【００１４】
【課題を解決するための手段】
この目的を達成するために本発明の受信装置は、アンテナから入力される放送信号を受信するチューナーと、前記チューナーで受信した放送信号における隣接映像音声を排除する表面弾性波フィルターと、前記表面弾性波フィルターから出力された映像音声信号の中間周波数帯域を復調するとともに自動利得制御を行う映像音声中間周波数復調部とを備えた受信装置であって、前記映像音声中間周波数復調部から出力される映像信号の高周波部分を減衰させる整合抵抗と、前記映像音声中間周波数復調部からの制御により前記整合抵抗の抵抗値を切り換え減衰量を可変する切り換え回路とを備え、前記切り換え回路は内部抵抗を有し、前記映像音声中間周波数復調部におけるＡＧＣ電圧値が所定値以下の場合は前記内部抵抗と前記整合抵抗との合成抵抗により映像信号の高周波部分を減衰させ、前記映像音声中間周波数復調部におけるＡＧＣ電圧値が所定値以上の場合は前記整合抵抗のみで映像信号の高周波部分を減衰させるものである。
【００１５】
この構成によって、映像音声中間周波数復調部において、ＲＦ−ＡＧＣ回路からのＡＧＣ電圧により、映像周波数振幅特性を切り換えて、弱電界時の映像振幅特性と映像Ｓ／Ｎ値を改善する受信装置が得られる。
【００１６】
【発明の実施の形態】
本発明の請求項１及び２に記載の発明は、アアンテナから入力される放送信号を受信するチューナーと、前記チューナーで受信した放送信号における隣接映像音声を排除する表面弾性波フィルターと、前記表面弾性波フィルターから出力された映像音声信号の中間周波数帯域を復調するとともに自動利得制御を行う映像音声中間周波数復調部とを備えた受信装置であって、前記映像音声中間周波数復調部から出力される映像信号の高周波部分を減衰させる整合抵抗と、前記映像音声中間周波数復調部からの制御により前記整合抵抗の抵抗値を切り換え減衰量を可変する切り換え回路とを備え、前記切り換え回路は内部抵抗を有し、前記映像音声中間周波数復調部におけるＡＧＣ電圧値が所定値以下の場合は前記内部抵抗と前記整合抵抗との合成抵抗により映像信号の高周波部分を減衰させ、前記映像音声中間周波数復調部におけるＡＧＣ電圧値が所定値以上の場合は前記整合抵抗のみで映像信号の高周波部分を減衰させるものであり、この構成により弱電界時の映像振幅特性と映像Ｓ／Ｎ値を改善するという作用を有する。
【００１７】
以下、本発明の実施の形態について、図１から図２を用いて説明する。
（実施の形態１）
図１は本実施の形態の受信装置のブロック図であり、図１において、１はアンテナで、放送電波を受電しチューナー３へテレビジョン信号等を伝送するものである。２はチューナー３の入力端子で、アンテナ１で受電されたテレビジョン信号に対して整合性の配慮が対応出来ているものである。３はチューナーで、アンテナ１より供給されたテレビジョン信号を所望のチャンネル信号に選択し、妨害排除を行い、局部発信周波数と所望チャンネル周波数とを混合器で混合し、所望の中間周波数信号を取り出すものである。４はＲＦ−ＡＧＣ端子で、映像音声中間周波数復調部３０に入力された利得のレベルにより、映像音声中間周波数復調部３０が制御する手段として、後述するＲＦ−ＡＧＣ回路１１により電圧に変換して出力されるもので、その電圧によりチューナー３の利得を制御するものである。
【００１８】
５はＲＦ−ＡＧＣリップルフィルター及び過渡応答を決定するコンデンサーであり、また、ＲＦ−ＡＧＣ電圧はＩＣに入力される信号のレベルにより左右されるもので、その入力信号は映像情報を含む信号であるため、映像信号レベルによりＲＦ−ＡＧＣ出力電圧が影響を受けるために電解コンデンサーを導入し、平滑させるものである。また、ＲＦ−ＡＧＣの応答が遅すぎると利得のコントロールに大きく影響するため電圧の立ち上がり、立ち下がり特性を考慮した定数設定が要求されるものである。６はＳＡＷフィルター７の入力端子であり、チューナー３の出力インピーダンスとＳＡＷフィルター７とのインピーダンス整合のとれた信号が入力されるものである。７はＳＡＷフィルターで受信された所望チャンネルの帯域特性及び位相特性を決定するものである。
【００１９】
８はＲＦ−ＡＧＣ電圧調整用ボリュームである。チューナー３でのＲＦ−ＡＭＰでの利得制御範囲には限界があるため、入力レベルが弱電界時には、映像音声中間周波数復調部３０内のＩＦ−ＡＭＰにて利得コントロールを行い検波後の映像出力信号レベルが一定になるように動作させており、そのＲＦ−ＡＭＰでの動作入力レベルを任意に設定する端子である。９、１０はＳＡＷフィルター７から出力された映像中間周波数信号を映像音声中間周波数信号復調部３０に入力する入力端子で、平衡入力されているものである。
【００２０】
１１は映像音声中間周波数復調部３０内のＲＦ−ＡＧＣ回路であり、入力された中間周波数信号を映像検波した後のシンクチップレベルのＤＣ電圧の変化により、電圧制御を行うもので、ピークＡＧＣにより電圧を出力するものである。１２はイコライザー補正回路であり、入力の映像信号に帰還をかけて高域周波数振幅特性を補正する回路である。１３は検波器であり、中間周波数信号と任意に発信させた信号とを同一位相により乗算し、映像検波を行う回路である。１４はＶＣＯで、検波器１３で検波に必要な発信周波数を電圧によって制御し、ループを組んで一定の周波数にするものである。
【００２１】
１５はＶＣＯ同調回路で、ＶＣＯ１４で発振コントロールする発信周波数をＬＣにて同調するものである。１６は音声信号用トラップの整合抵抗であり、検波部１３からの映像信号の高周波部分を減衰させてノイズ除去を行なっている。また音声信号用トラップ回路１８の減衰量および周波数振幅特性を決定するものである。
【００２２】
１７は整合抵抗１６と並列接続され映像周波数振幅特性を切り換える切り換え回路であり、ＲＦ−ＡＧＣ回路１１からのＲＦ−ＡＧＣ電圧により内部スイッチがオン／オフ制御される。ＲＦ−ＡＧＣ回路１１では映像信号のＡＧＣ電圧値が、所定値以上の場合は弱電界時と判断し、所定値以下の場合は通常電界時であると判断して、制御信号を出力する。切り換え回路１７は、ＲＦ−ＡＧＣ回路１１からの制御信号により、通常電界時は切り換え回路１７の内部スイッチがオフし、整合抵抗１６にのみ映像信号が入力される。また、弱電界時は内部スイッチがオンし、図２に示すインピーダンス整合抵抗３５と整合抵抗１６とが並列で映像信号が入力され、総合的に抵抗値を下げている。
【００２３】
１８は音声信号用トラップ回路で、５．５［ＭＨｚ］、６．０［ＭＨｚ］、６．５［ＭＨｚ］の音声信号を所望の値に減衰させるもので、一般的にはセラミックトラップ回路等が用いられる。１９はイコライザー補正回路１２を通過した後の映像信号出力端子である。２０は切り換え回路１７の入力端であり、整合抵抗１６の一方と回路的に接続されているものである。２１は切り換え回路１７の出力端であり、整合抵抗１６のもう一方と回路的に接続されているもので、かつ音声信号トラップ回路１８の入力端となるものである。２２は映像音声中間周波数復調部３０の音声中間周波数信号の入力端子で、ＳＡＷフィルター７により選択された音声中間周波数帯域内の音声中間周波数搬送波が入力されるものである。
【００２４】
２３はＡＭ／ＦＭ検波部で、ＰＡＬ時はＦＭ検波、ＳＥＣＡＭ時はＡＭ検波を行い、音声信号を取り出す音声信号処理回路であり、詳細については省略している。２４は音声信号処理回路２３でＰＬＬ検波された信号を取り出す音声信号出力端子である。２５は映像周波数振幅特性切り換え回路１７の制御を行う入力端子である。この入力端子にＲＦ−ＡＧＣ回路１１からのＡＧＣ電圧により、映像周波数振幅特性が切り換えられるものである。３０は映像音声中間周波数復調部、３７は電源電圧入力端子であり、例えば５Ｖが使用されるものである。
【００２５】
図２は本実施の形態の受信装置の切り換え回路の回路図であり、図２において、１７は映像周波数振幅特性を切り換える切り換え回路であり、ＲＦ−ＡＧＣ電圧を利用し切り換え動作を行うものである。音声信号トラップ回路の整合抵抗１６と独立して切り換え回路１７を構成し、映像周波数振幅特性を切り換えるものである。２０は映像信号出力端子で、検波器で検波された音声信号と映像信号が出力されるものである。２１は切り換え回路１７の出力端であり、整合抵抗１６のもう一方と回路的に接続されているもので、かつ音声信号トラップ回路１８の入力端となるものである。１６は音声信号用トラップの整合抵抗であり、音声信号トラップの減衰量および周波数振幅特性を決定するものである。
【００２６】
２５は映像周波数振幅特性切り換え回路１７の制御を行う入力端子である。この入力端子にＲＦ−ＡＧＣ回路１１からのＡＧＣ電圧により、映像周波数振幅特性が切り換えられるものである。３２、３３はＤＣ用カップリングコンデンサーであり、切り換え回路のＤＣ変動の影響がないように動作するものである。３４は整合抵抗１６を切り換える第１のトランジスターであり、このトランジスター３４をＯＮまたはＯＦＦさせることにより、整合抵抗１６とのパラレル動作を制御しているものである。３５はインピーダンス整合抵抗であり、この抵抗を通してパラレル接続となるものである。
【００２７】
３６は第１のトランジスター３４をスイッチ動作させるプルアップ抵抗である。３７は切り換え回路１７の電源供給端子であり、例えば５Ｖ電圧が供給されるものである。３８はスイッチ時の接地抵抗であり、トランジスター３９がオン時、グランド間との間にインピーダンスを持たせ、信号レベルの劣化を防止するものである。３９、４１はスイッチ用の第２及び第３のトランジスターであり、ＲＦ−ＡＧＣ電圧により動作するものである。動作としては第３のトランジスター４１がオンの時に第２のトランジスター３９はオフであり、第３のトランジスター４１がオフの時は第２のトランジスター３９はオンとなるものである。４２、４３は電圧分割抵抗であり、この抵抗により第３のトランジスター４１の動作ポイントが決定されるものである。４４は第２及び第３のトランジスター３９及び４１への電源供給用抵抗である。４０はコンデンサーで、第２のトランジスター３９を安定動作させるためのリップル除去用である。
【００２８】
以上のように構成された本実施の形態の受信装置について、以下その動作について説明する。
【００２９】
アンテナ１から入力された放送信号をチューナー３で受信する。所望のチャンネル周波数を選択し、妨害排除を行い局部発信周波数と所望ののチャンネル周波数とを混合し、中間周波数信号を取り出す。チューナー３で受信した放送信号はＳＡＷフィルター７に入力され、隣接映像音声を排除する。ＳＡＷフィルター７からは映像・音声の中間周波数信号が出力され、映像中間周波数信号は入力端子９及び１０から映像音声中間周波数復調部３０に入力され、音声信号中間周波数信号は入力端子２２から入力される。
【００３０】
映像中間周波数信号はＩＦ−ＡＭＰ５０で利得コントロールされ、検波器１３に入力される。検波器１３では、ＩＦ−ＡＭＰ５０からの映像中間周波数信号と、ＶＣＯ１４で発振した信号とを同一位相により乗算して映像検波を行なう。検波器１３の出力信号は整合抵抗１６に入力され、信号中のノイズ除去のために高周波部分を減衰させる。
【００３１】
ここで、整合抵抗１６と並列に切り換え回路１７が接続されており、ＲＦ−ＡＧＣ回路１１からの制御により、内部スイッチがオン／オフ制御される。ＲＦ−ＡＧＣ回路１１では映像信号のＡＧＣ電圧値が、所定値以上の場合は弱電界時と判断し、所定値以下の場合は通常電界時であると判断して、制御信号を出力する。切り換え回路１７は、ＲＦ−ＡＧＣ回路１１からの制御信号により、通常電界時は切り換え回路１７の内部スイッチがオフし、整合抵抗１６にのみ映像信号が入力される。また、弱電界時は内部スイッチがオンし、図２に示すインピーダンス整合抵抗３５と整合抵抗１６とが並列で映像信号が入力され、総合的に抵抗値を下げている。
【００３２】
整合抵抗１６の出力信号は音声信号用トラップ部１８に入力され、映像中間周波数信号にわずかに含まれる音声信号を、所定の周波数を指定して減衰する。音声信号用トラップ部１８の出力信号はイコライザ補正回路１２に入力され、整合抵抗１６で減衰した映像信号の高周波部分を補正する。そして、イコライザ補正回路１２の出力信号は映像信号出力端子１９から出力される
一方、音声中間周波数信号は、ＡＭ／ＦＭ検波部２３に入力され、ＰＡＬ時にはＦＭ検波し、ＳＥＣＡＭ時にはＡＭ検波を行なう。ＡＭ／ＦＭ検波部２３から出力された音声中間周波数信号は、音声信号出力端子２４から出力される。
【００３３】
以上のように本実施の形態によれば、映像音声中間周波数復調部３０において、検波部１３と音声信号用トラップ部１８間に整合抵抗１６を構成し、その整合抵抗１６と並列に、映像音声中間周波数復調部３０のＲＦ−ＡＧＣ回路１１からのＡＧＣ電圧により映像周波数振幅特性を切り換える切り換え回路１７を構成することにより、弱電界時の映像振幅特性と映像Ｓ／Ｎ値を改善することができる。
【００３４】
【発明の効果】
以上のように本発明は、映像振幅特性をクロマ帯域を中心にシンメトリーに変化させることが出来るため、クロマ帯域の高域のみを減衰させることなく、弱電界時の映像振幅特性を大幅に改善し、カラー特性を忠実に再現させると共にＹ／Ｃディレーと解像度を良化させ、かつ映像Ｓ／Ｎ値を大幅に改善するという優れた効果が得られものである。
【図面の簡単な説明】
【図１】本発明の実施の形態における受信装置のブロック図
【図２】同実施の形態における受信装置における切り換え回路の回路図
【図３】従来の受信装置のブロック図
【符号の説明】
１  アンテナ
３  チューナー
７  ＳＡＷフィルター
１１  ＲＦ−ＡＧＣ回路
１６  整合抵抗
１７  切り換え回路
３０  映像音声中間周波数復調部
【図１】
0003617275.tif 000002
【図２】
0003617275.tif 000003
【図３】
0003617275.tif 000004